(57)【要約】【課題】省エネルギー性を向上させることができる調湿装置および空気調和機を提供する。【解決手段】調湿装置４ａは、吸加湿部材４１と、一対の電極部４２，４３と、ラジアルファン組立体４８および吸着用送風装置４６とを備える。吸加湿部材４１は、空気が透過可能な誘電体を有しており、誘電体には、水分を吸着可能であると共に加熱されることにより吸着した水分を離脱する吸着剤が担持されている。一対の電極部４２，４３は、吸加湿部材４１を間に挟んで配置され、吸加湿部材４１に電圧を印可可能である。ラジアルファン組立体４８および吸着用送風装置４６は、吸加湿部材４１を通り室外へ排出される空気の流れと、吸加湿部材４１を通り室内へ供給される空気の流れとを生成する。【選択図】図２
2008025923.tif 000002
【特許請求の範囲】
【請求項１】
水分を吸着可能であると共に加熱されることにより吸着した水分を離脱する吸着剤が担持されており、空気が透過可能な誘電体を有する吸加湿部材（４１，５４）と、
前記吸加湿部材（４１，５４）を間に挟んで配置され前記吸加湿部材（４１，５４）に電圧を印可可能な一対の電極部（４２，４３，５５，５６）と、
前記吸加湿部材（４１，５４）を通り室外へ排出される空気の流れと、前記吸加湿部材（４１，５４）を通り室内へ供給される空気の流れとを生成する送風部（４６，４８，５９）と、
を備える調湿装置（４ａ，４ｂ，４ｃ）。
【請求項２】
前記吸加湿部材（４１）は回転可能に設けられており、
一対の前記電極部（４２，４３）は、前記吸加湿部材（４１）の回転軸方向に距離を隔てて配置され、前記吸加湿部材（４１）の一部に対向しており、
前記吸加湿部材（４１）を回転させる駆動部（４７）と、
室外又は室内から取り込まれ前記吸加湿部材（４１）のうち前記電極部（４２，４３）と対向しない位置を通り室外へ排出される空気が通る第１空気通路（４９ａ）と、
室外又は室内から取り込まれ前記吸加湿部材（４１）のうち前記電極部（４２，４３）と対向する位置を通り室内へ供給される空気が通る第２空気通路（４９ｂ）と、
をさらに備え、
前記送風部（４６，４８）は、前記第１空気通路（４９ａ）を通る空気の流れを生成する第１送風装置（４６）と、前記第２空気通路（４９ｂ）を通る空気の流れを生成する第２送風装置（４８）とを有する、
請求項１に記載の調湿装置（４ａ）。
【請求項３】
前記吸加湿部材（４１）は回転可能に設けられており、
一対の前記電極部（４２，４３）は、前記吸加湿部材（４１）の回転軸方向に距離を隔てて配置され、前記吸加湿部材（４１）の一部に対向しており、
前記吸加湿部材（４１）を回転させる駆動部（４７）と、
室外又は室内から取り込まれ前記吸加湿部材（４１）のうち前記電極部（４２，４３）と対向しない位置を通り室内へ供給される空気が通る第３空気通路（４９ｃ）と、
室外又は室内から取り込まれ前記吸加湿部材（４１）のうち前記電極部（４２，４３）と対向する位置を通り室外へ排出される空気が通る第４空気通路（４９ｄ）と、
をさらに備え、
前記送風部（４６，４８）は、前記第３空気通路（４９ｃ）を通る空気の流れを生成する第３送風装置（４８）と、前記第４空気通路（４９ｄ）を通る空気の流れを生成する第４送風装置（４６）とを有する、
請求項１に記載の調湿装置（４ｃ）。
【請求項４】
前記吸加湿部材（４１）は、回転軸を含む平面で前記誘電体を仕切るように設けられた絶縁層（４１０）をさらに有する、
請求項２または３に記載の調湿装置（４ａ，４ｃ）。
【請求項５】
前記送風部（５９）によって生成される空気の流れを、室外又は室内から取り込まれ前記吸加湿部材（５４）を通って室外へ排出される第１流れ状態と、室外又は室内から取り込まれ前記吸加湿部材（５４）を通って室内へ供給される第２流れ状態とに切り替える切替部（７４）と、
前記送風部（５９）によって生成される空気の流れを前記第１流れ状態にすると共に前記吸加湿部材（５４）に電圧が印可されていない状態にする加湿水分吸着運転と、前記送風部（５９）によって生成される空気の流れを前記第２流れ状態にすると共に一対の前記電極部（５５，５６）によって前記吸加湿部材（５４）に電圧が印可されている状態にする加湿水分離脱運転とを選択的に実行可能な制御部（７８）と、
を備える請求項１に記載の調湿装置（４ｂ）。
【請求項６】
前記送風部（５９）によって生成される空気の流れを、室外又は室内から取り込まれ前記吸加湿部材（５４）を通って室内へ供給される第３流れ状態と、室外又は室内から取り込まれ前記吸加湿部材（５４）を通って室外へ排出される第４流れ状態とに切り替える切替部（７４）と、
前記送風部（５９）によって生成される空気の流れを前記第３流れ状態にすると共に前記吸加湿部材（５４）に電圧が印可されていない状態にする除湿水分吸着運転と、前記送風部（５９）によって生成される空気の流れを前記第４流れ状態にすると共に一対の前記電極部（５５，５６）によって前記吸加湿部材（５４）に電圧が印可されている状態にする除湿水分離脱運転とを選択的に実行可能な制御部（７８）と、
を備える請求項１に記載の調湿装置（４ｂ）。
【請求項７】
一対の前記電極部（４２，４３，５５，５６）の少なくとも一方は、網目状の形状を有する、
請求項１から６のいずれかに記載の調湿装置（４ａ，４ｂ，４ｃ）。
【請求項８】
請求項１から７のいずれかに記載の調湿装置（４ａ，４ｂ，４ｃ）を備える空気調和機（１）。
【発明の詳細な説明】
【技術分野】
【０００１】
本発明は、調湿装置および空気調和機に関する。
【背景技術】
【０００２】
従来、加湿された空気や除湿された空気を室内に送ることにより室内の湿度を調整する調湿装置が利用されている。この調湿装置は、ゼオライト等の吸着剤が担持された吸加湿部材を備えており、吸加湿部材は、通過する空気から水分を吸着すると共に、加熱されることにより吸着した水分を離脱することができる。また、調湿装置には、吸加湿部材を加熱するヒーター（電熱器）が備えられており、吸加湿部材を加熱することによって吸加湿部材から水分を離脱させる。これにより、空気の加湿や除湿を行うことができる。
【特許文献１】特許第３４３８６７２号明細書
【発明の開示】
【発明が解決しようとする課題】
【０００３】
しかし、上記の調湿装置のように、吸加湿部材の加熱手段としてヒーターが用いられる場合、エネルギーの損失が大きく、省エネルギー性を向上させることは困難である。
【０００４】
本発明の課題は、省エネルギー性を向上させることができる調湿装置および空気調和機を提供することにある。
【課題を解決するための手段】
【０００５】
第１発明の調湿装置は、吸加湿部材と、一対の電極部と、送風部とを備える。吸加湿部材は、空気が透過可能な誘電体を有しており、誘電体には、水分を吸着可能であると共に加熱されることにより吸着した水分を離脱する吸着剤が担持されている。一対の電極部は、吸加湿部材を間に挟んで配置され、吸加湿部材に電圧を印可可能である。送風部は、吸加湿部材を通り室外へ排出される空気の流れと、吸加湿部材を通り室内へ供給される空気の流れとを生成する。
【０００６】
この調湿装置では、非加熱状態の吸加湿部材を空気が通ることによって空気中の水分が吸加湿部材に吸着される。また、空気が加熱状態の吸加湿部材を通ることによって吸加湿部材から空気中に水分が離脱される。このため、非加熱状態の吸加湿部材を通った空気が室内に供給される場合には、水分の少ない空気が室内に送られることによって室内の除湿を行うことができる。また、過熱状態の吸加湿部材を通った空気が室内に供給される場合には、水分の多い空気が室内に送られることによって室内の加湿を行うことができる。
【０００７】
ここで、この調湿装置では、一対の電極部が吸加湿部材に電圧を印可することにより、誘電加熱によって吸加湿部材が加熱される。このため、ヒーターによって加熱される場合と比べると、エネルギーの損失が少なく、省エネルギー性を向上させることができる。
【０００８】
第２発明の調湿装置は、第１発明の調湿装置であって、吸加湿部材は回転可能に設けられており、一対の電極部は、吸加湿部材の回転軸方向に距離を隔てて配置され、吸加湿部材の一部に対向している。また、この調湿装置は、駆動部と、第１空気通路と、第２空気通路とをさらに備える。駆動部は、吸加湿部材を回転させる部分である。第１空気通路は、室外又は室内から取り込まれ吸加湿部材のうち電極部と対向しない位置を通り室外へ排出される空気が通る空気通路である。第２空気通路は、室外又は室内から取り込まれ吸加湿部材のうち電極部と対向する位置を通り室内へ供給される空気が通る空気通路である。そして、送風部は、第１空気通路を通る空気の流れを生成する第１送風装置と、第２空気通路を通る空気の流れを生成する第２送風装置とを有する。
【０００９】
この調湿装置では、第１空気通路を通る空気は、吸加湿部材のうち電極部と対向しない位置を通ることにより、吸加湿部材に水分を奪われ、室外へ排出される。この吸加湿部材のうち水分を吸着した部分は、吸加湿部材が回転することによって電極部と対向する位置に移動する。ここで、第２空気通路を通る空気は、吸加湿部材のうち電極部と対向する位置を通る。吸加湿部材の電極部と対向する部分は、誘電加熱によって加熱されており、第２空気通路を通る空気中に水分を離脱する。これにより、水分を多く含む空気が室内へ供給される。また、吸加湿部材のうち水分を離脱した部分は、吸加湿部材が回転することにより電極部と対向しない位置に移動して再び水分を吸着する。以上の動作が繰り返し行われることにより、室内の加湿が行われる。
【００１０】
このように、この調湿装置では、吸加湿部材を回転させることによって、電極部と対向する部分と電極部と対向しない部分との位置を繰り返し入れ替えることができ、誘電加熱を受ける部分と誘電加熱を受けない部分とを繰り返し入れ替えることができる。これにより、吸加湿部材において水分の吸着と離脱とが並行して行われ、無給水での室内の加湿が可能となる。
【００１１】
第３発明の調湿装置は、第１発明の調湿装置であって、吸加湿部材は回転可能に設けられており、一対の電極部は、吸加湿部材の回転軸方向に距離を隔てて配置され、吸加湿部材の一部に対向している。また、この調湿装置は、駆動部と、第３空気通路と、第４空気通路とをさらに備える。駆動部は、吸加湿部材を回転させる部分である。第３空気通路は、室外又は室内から取り込まれ吸加湿部材のうち電極部と対向しない位置を通り室内へ供給される空気が通る空気通路である。第４空気通路は、室外又は室内から取り込まれ吸加湿部材のうち電極部と対向する位置を通り室外へ排出される空気が通る空気通路である。そして、送風部は、第３空気通路を通る空気の流れを生成する第３送風装置と、第４空気通路を通る空気の流れを生成する第４送風装置とを有する。
【００１２】
この調湿装置では、第３空気通路を通る空気は、吸加湿部材のうち電極部と対向しない位置を通ることにより、吸加湿部材に水分を奪われ、室内に供給される。これにより、水分の含有量の少ない空気が室内に供給され、室内の除湿を行うことができる。そして、この吸加湿部材のうち水分を吸着した部分は、吸加湿部材が回転することによって電極部と対向する位置に移動する。ここで、第４空気通路を通る空気は、吸加湿部材のうち電極部と対向する位置を通る。吸加湿部材のうち電極部と対向する部分は、誘電加熱によって加熱されることにより、第４空気通路を通る空気中に水分を離脱する。これにより、水分を多く含む空気が室外へ排出される。また、吸加湿部材のうち水分を離脱した部分は、吸加湿部材が回転することにより電極部と対向しない位置に移動して再び水分を吸着する。以上の動作が繰り返し行われることにより、室内の除湿が行われる。
【００１３】
このように、この調湿装置では、吸加湿部材が回転することによって、電極部と対向する部分と電極部と対向しない部分との位置を繰り返し入れ替えることができ、誘電加熱を受ける部分と誘電加熱を受けない部分とを繰り返し入れ替えることができる。これにより、吸加湿部材において水分の吸着と離脱とが並行して行われ、水分の処理が不要な室内の除湿が可能となる。
【００１４】
第４発明の調湿装置は、第２発明または第３発明の調湿装置であって、吸加湿部材は、回転軸を含む平面で誘電体を仕切るように設けられた絶縁層をさらに有する。
【００１５】
この調湿装置では、吸加湿部材の誘電体が、絶縁層によって回転軸を含む平面で仕切られている。このため、誘電加熱を受ける部分と誘電加熱を受けない部分とを明確に分けることができ、水分を吸着させる部分と水分を離脱させる部分とを容易に分けることができる。
【００１６】
第５発明の調湿装置は、第１発明の調湿装置であって、切替部と、制御部とをさらに備える。切替部は、送風部によって生成される空気の流れを、室外又は室内から取り込まれ吸加湿部材を通って室外へ排出される第１流れ状態と、室外又は室内から取り込まれ吸加湿部材を通って室内へ供給される第２流れ状態とに切り替える。制御部は、送風部によって生成される空気の流れを第１流れ状態にすると共に吸加湿部材に電圧が印可されていない状態にする加湿水分吸着運転と、送風部によって生成される空気の流れを第２流れ状態にすると共に一対の電極部によって吸加湿部材に電圧が印可されている状態にする加湿水分離脱運転とを選択的に実行可能である。
【００１７】
この調湿装置では、加湿水分吸着運転では、吸加湿部材に電圧が印可されておらず誘電加熱が行われていない。このため、吸加湿部材を通過する空気に含まれていた水分が吸加湿部材に吸着され、水分を奪われた空気は室外へ排出される。次に、加湿水分吸着運転から加湿水分離脱運転に切り替えられると、吸加湿部材に電圧が印可され、吸加湿部材が誘電加熱によって加熱される。これにより、吸加湿部材から水分が離脱され、水分を多く含む空気が室内に供給される。以上のように、この調湿装置では、加湿水分吸着運転と加湿水分離脱運転とが選択的に実行され交互に繰り返されることによって、吸加湿部材への水分の吸着と、吸加湿部材からの水分の離脱とが繰り返される。これにより、無給水での室内の加湿が可能となる。
【００１８】
第６発明の調湿装置は、第１発明の調湿装置であって、切替部と、制御部とをさらに備える。切替部は、送風部によって生成される空気の流れを、室外又は室内から取り込まれ吸加湿部材を通って室内へ供給される第３流れ状態と、室外又は室内から取り込まれ吸加湿部材を通って室外へ排出される第４流れ状態とに切り替える。制御部は、送風部によって生成される空気の流れを第３流れ状態にすると共に吸加湿部材に電圧が印可されていない状態にする除湿水分吸着運転と、送風部によって生成される空気の流れを第４流れ状態にすると共に一対の電極部によって吸加湿部材に電圧が印可されている状態にする除湿水分離脱運転とを選択的に実行可能である。
【００１９】
この調湿装置では、除湿水分吸着運転では、吸加湿部材に電圧が印可されておらず誘電加熱が行われていない。このため、吸加湿部材を通過する空気に含まれていた水分が吸加湿部材に吸着され、水分を奪われた空気が室内へ供給される。これにより、水分の含有量の少ない空気が室内に送られ、室内の除湿が行われる。次に、除湿水分吸着運転から除湿水分離脱運転に切り替えられると、吸加湿部材に電圧が印可され、吸加湿部材が誘電加熱によって加熱される。これにより、吸加湿部材から水分が離脱され、水分を多く含む空気が室外に排出される。以上のように、この調湿装置では、除湿水分吸着運転と除湿水分離脱運転とが選択的に実行され交互に繰り返されることによって、吸加湿部材への水分の吸着と、吸加湿部材からの水分の離脱とが繰り返される。これにより、水分の処理が不要な室内の除湿が可能となる。
【００２０】
第７発明の調湿装置は、第１発明から第６発明のいずれかの調湿装置であって、一対の電極部の少なくとも一方は、網目状の形状を有する。
【００２１】
この調湿装置では、一対の電極部の少なくとも一方は網目状の形状を有する。このため電極部が吸加湿部材に対向して配置されていても、吸加湿部材を通る空気の流れを阻害する恐れを低減させることができる。
【００２２】
第８発明の空気調和機は、請求項１から７のいずれかに記載の調湿装置を備える。
【００２３】
この空気調和機では、調湿装置において、非加熱状態の吸加湿部材を空気が通ることによって空気中の水分が吸加湿部材に吸着される。また、空気が加熱状態の吸加湿部材を通ることによって吸加湿部材から空気中に水分が離脱される。このため、非加熱状態の吸加湿部材を通った空気が室内に供給されると、水分の少ない空気が室内に送られることによって室内の除湿を行うことができる。また、過熱状態の吸加湿部材を通った空気が室内に供給されると、水分の多い空気が室内に送られることによって室内の加湿を行うことができる。
【００２４】
ここで、この空気調和機では、調湿装置において、一対の電極部が吸加湿部材に電圧を印可することにより、誘電加熱によって吸加湿部材が加熱される。このため、ヒーターによって加熱される場合と比べると、エネルギーの損失が少なく、省エネルギー性を向上させることができる。
【発明の効果】
【００２５】
第１発明の調湿装置では、非加熱状態の吸加湿部材を通った空気が室内に供給される場合には、水分の少ない空気が室内に送られることによって室内の除湿を行うことができる。また、過熱状態の吸加湿部材を通った空気が室内に供給される場合には、水分の多い空気が室内に送られることによって室内の加湿を行うことができる。
【００２６】
ここで、この調湿装置では、一対の電極部が吸加湿部材に電圧を印可することにより、誘電加熱によって吸加湿部材が加熱される。このため、ヒーターによって加熱される場合と比べると、エネルギーの損失が少なく、省エネルギー性を向上させることができる。
【００２７】
第２発明の調湿装置では、吸加湿部材を回転させることによって、電極部と対向する部分と電極部と対向しない部分との位置を繰り返し入れ替えることができ、誘電加熱を受ける部分と誘電加熱を受けない部分とを繰り返し入れ替えることができる。これにより、吸加湿部材において水分の吸着と離脱とが並行して行われ、無給水での室内の加湿が可能となる。
【００２８】
第３発明の調湿装置では、吸加湿部材が回転することによって、電極部と対向する部分と電極部と対向しない部分との位置を繰り返し入れ替えることができ、誘電加熱を受ける部分と誘電加熱を受けない部分とを繰り返し入れ替えることができる。これにより、吸加湿部材において水分の吸着と離脱とが並行して行われ、水分の処理が不要な室内の除湿が可能となる。
【００２９】
第４発明の調湿装置では、吸加湿部材の誘電体が、絶縁層によって回転軸を含む平面で仕切られている。このため、誘電加熱を受ける部分と誘電加熱を受けない部分とを明確に分けることができ、水分を吸着させる部分と水分を離脱させる部分とを容易に分けることができる。
【００３０】
第５発明の調湿装置では、加湿水分吸着運転と加湿水分離脱運転とが選択的に実行され交互に繰り返されることによって、吸加湿部材への水分の吸着と、吸加湿部材からの水分の離脱とが繰り返される。これにより、無給水での室内の加湿が可能となる。
【００３１】
第６発明の調湿装置では、除湿水分吸着運転と除湿水分離脱運転とが選択的に実行され交互に繰り返されることによって、吸加湿部材への水分の吸着と、吸加湿部材からの水分の離脱とが繰り返される。これにより、水分の処理が不要な室内の除湿が可能となる。
【００３２】
第７発明の調湿装置では、一対の電極部の少なくとも一方は網目状の形状を有する。このため電極部が吸加湿部材に対向して配置されていても、吸加湿部材を通る空気の流れを阻害する恐れを低減させることができる。
【００３３】
第８発明の空気調和機では、非加熱状態の吸加湿部材を通った空気が室内に供給される場合には、水分の少ない空気が室内に送られることによって室内の除湿を行うことができる。また、過熱状態の吸加湿部材を通った空気が室内に供給される場合には、水分の多い空気が室内に送られることによって室内の加湿を行うことができる。
【００３４】
ここで、調湿装置において、一対の電極部が吸加湿部材に電圧を印可することにより、誘電加熱によって吸加湿部材が加熱される。このため、ヒーターによって加熱される場合と比べると、エネルギーの損失が少なく、省エネルギー性を向上させることができる。
【発明を実施するための最良の形態】
【００３５】
＜第１実施形態＞
〔空気調和機の概略構成〕
本発明の第１実施形態に係る空気調和機１の外観を図１に示す。
【００３６】
この空気調和機１は、室内の壁面などに取り付けられる室内機２と、室外に設置される室外機３とに分かれて構成されており、室内の冷房および暖房を行うことができる。また、室外機３は、室外空調ユニット５と、室外空調ユニット５上に載置される調湿ユニット４ａとを有している。後述するように、調湿装置４ａは、室外の空気を室内へ供給したり、室内の空気を室外へ排出したりすることができ、室外機３と室内機２との間には、調湿装置４ａからの室外空気や調湿空気等を室内機２側に供給するときや室内の空気を室外に排出するときに用いられる給排気ホース６が設けられている。
【００３７】
〔冷媒回路の構成〕
図２は、空気調和機１に備えられている冷媒回路の系統図に、室内に供給される空気や室外へ排出される空気が通る空気通路を模式的に付加したものである。
【００３８】
室内機２には、室内熱交換器１１が設けられている。この室内熱交換器１１は、長さ方向両端で複数回折り返されてなる伝熱管と、伝熱管が挿通される複数のフィンとからなり、接触する空気との間で熱交換を行う。
【００３９】
また、室内機２内には、クロスフローファン１２と、クロスフローファン１２を回転駆動する室内ファンモータ１３とが設けられている。このクロスフローファン１２は、室内空気を室内機２内に吸い込ませるとともに、室内熱交換器１１との間で熱交換を行った後の空気を室内に吹き出させる。
【００４０】
室外空調ユニット５には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動弁２５とが設けられている。電動弁２５は、フィルタ２６および液閉鎖弁２７を介して冷媒配管３２に接続されており、この冷媒配管３２を介して室内熱交換器１１の一端と接続される。また、四路切換弁２２は、ガス閉鎖弁２８を介して冷媒配管３１に接続されており、この冷媒配管３１を介して室内熱交換器１１の他端と接続されている。
【００４１】
また、室外空調ユニット５内には、室外熱交換器２４での熱交換後の空気を外部に排出するためのプロペラファン２９が設けられている。このプロペラファン２９は、室外ファンモータ３０によって回転駆動される。
【００４２】
〔調湿装置に係る構成〕
調湿装置４ａは、室内から取り込まれた空気を室外へと排出させる排気運転と、室外から取り込まれた空気を室内へと供給する給気運転とを行うことができる。また、給気運転には、室外から取り込まれた空気を加湿して室内へと供給する加湿運転と、室外から取り入れた空気を加湿を行わずに室内へと供給する給気換気運転とがある。調湿装置４ａは、図３に示すように、調湿装置ケーシング４０、吸加湿部材４１、一対の電極部４２，４３、切換ダンパ４４、ラジアルファン組立体４８、吸着用送風装置４６、制御部５１（図６参照）などを備えている。ラジアルファン組立体４８および吸着用送風装置４６は、吸加湿部材４１を通り室外へ排出される空気の流れと、吸加湿部材４１を通り室内へ供給される空気の流れとを生成する送風部を構成している。
【００４３】
〈調湿装置ケーシング〉
調湿装置ケーシング４０は、吸加湿部材４１、電極部４２，４３、ラジアルファン組立体４８、切換ダンパ４４、吸着用送風装置４６などを収納しており、調湿装置ケーシング４０の内部は、正面視における右側が吸加湿部材４１等を収容する空間、左側が吸着用送風装置４６等を収容する空間となっている。
【００４４】
調湿装置ケーシング４０の前面には、複数のスリット状の開口からなる吸着用空気吹出口４０ａが設けられている。調湿装置ケーシング４０の背面には、吸着用空気吸込口４０ｂおよび給排気口４０ｃが左右方向に並んで設けられている。吸着用空気吸込口４０ｂは、吸加湿部材４１に水分を吸着させるために室外から取り込まれる空気が通る開口である。給排気口４０ｃは、給気運転時には室内機２へと送られるために室外から調湿装置４ａ内に取り込まれる空気が通り、排気運転時には室内機２から取り込まれて調湿装置４ａから室外へと排気される空気が通る開口である。調湿装置ケーシング４０の上部は、天板６６により覆われている。
【００４５】
また、図２に示すように、調湿装置ケーシング４０内には、第１空気通路４９ａと第２空気通路４９ｂとが設けられている。第１空気通路４９ａは、室外から吸着用空気吸込口４０ｂを通って取り込まれ、吸加湿部材４１のうち電極部４２，４３と対向しない位置を通り、吸着用空気吹出口４０ａから室外へ排出される空気が通る通路である。第２空気通路４９ｂは、加湿運転時や給気換気運転時において、室外から給排気口４０ｃを通って取り込まれ、吸加湿部材４１のうち電極部４２，４３と対向する位置、ラジアルファン組立体４８および切換ダンパ４４を通り、給排気ダクト６１へ送られる空気が通る通路である。給排気ダクト６１に送られた空気は、給排気ホース６を通って室内機２に送られ、室内機２の吹出し口から室内へ吹き出されることにより室内へ供給される。また、給気換気運転時には、第２空気通路４９ｂには、加湿運転時や給気換気運転時とは逆方向に空気が流れ、第２空気通路４９ｂは、室内から取り込まれ室外へ排出される空気が通る通路となる。
【００４６】
〈吸加湿部材〉
吸加湿部材４１は、図３に示すように、概ね円板形状を有するハニカム構造を有するロータであり、主として、セラミック等の誘電体で構成されている。吸加湿部材４１は、水平面で切った断面において細かいハニカム（蜂の巣）状になっており、空気が容易に透過できる構造となっている。
【００４７】
吸加湿部材４１には、ゼオライト、シリカゲル、あるいはアルミナといった吸着剤が担持されている。このゼオライト等の吸着剤は、接触する空気中の水分を吸着可能であると共に、加熱されることによって水分を離脱する性質を有している。
【００４８】
吸加湿部材４１は、調湿装置ケーシング４０側に設けられた支持軸４０ｄに、図示しないロータガイドを介して支持されている。吸加湿部材４１は、支持軸４０ｄを通る回転軸ＡＸ１（図４，図５参照）を中心に回転可能に設けられており、ロータ駆動モータ４７によって回転駆動される。
【００４９】
また、図４に示すように、吸加湿部材４１は、回転軸ＡＸ１を含む平面で誘電体を仕切るように設けられた絶縁層４１０を有している。絶縁層４１０は、回転軸ＡＸ１を中心に放射状に設けられており、ここでは、誘電体を６等分するように設けられている。
【００５０】
〈電極部〉
図５に示すように、一対の電極部４２，４３は、吸加湿部材４１の回転軸ＡＸ１方向に距離を隔てて配置され、吸加湿部材４１を間に挟んで配置されている。一対の電極部４２，４３は、調湿装置ケーシング４０に固定されており、吸加湿部材４１の一部に対向するように配置されている。このため、吸加湿部材４１が回転しても一対の電極部４２，４３は移動せず、吸加湿部材４１は一対の電極部４２，４３に対して相対的に移動する。なお、吸加湿部材４１は、電極部４２，４３に接触した状態で電極部４２，４３の間を回転する。
【００５１】
また、吸加湿部材４１のうち電極部４２，４３と対向する位置は、上述した第２空気通路４９ｂと交差しており、吸加湿部材４１のうち電極部４２，４３が対向しない位置は第１空気通路４９ａと交差している（図２参照）。各電極部４２，４３は、網目状の形状を有する金属製の部材であり、空気が透過し易くなっている。また、一対の電極部４２，４３は、それぞれ電源回路５０に接続されており、吸加湿部材４１に電圧を印可することにより吸加湿部材４１を誘電加熱することができる。
【００５２】
なお、一対の電極部４２，４３のうち、吸加湿部材４１の上面に設けられた電極部４２が架電電極であり、吸加湿部材４１の上面に設けられた電極部４３が接地電極である。
【００５３】
〈ラジアルファン組立体〉
ラジアルファン組立体４８は、吸加湿部材４１の側方に配置されており、第２空気通路４９ｂを通る空気の流れを生成する。すなわち、ラジアルファン組立体４８は、給排気口４０ｃから吸加湿部材４１および切換ダンパ４４を経て室内へと到る空気の流れを生成して、室外から取り入れた空気を室内機２へと送る。また、ラジアルファン組立体４８は、室内機２から取り入れた空気を第２空気通路４９ｂを介して室外へと排出することもできる。ラジアルファン組立体４８は、切換ダンパ４４が切り換わることにより、これらの動作を切り換える。
【００５４】
ラジアルファン組立体４８は、室外から取り入れた空気を室内機２へと送る場合には、吸加湿部材４１のうち電極部４２，４３と対向する部分を通過した空気を、切換ダンパ４４を経て給排気ダクト６１へと送り出す。給排気ダクト６１は、給排気ホース６に接続されており、ラジアルファン組立体４８は、給排気ダクト６１と給排気ホース６とを介して空気を室内機２へと供給する。
【００５５】
また、ラジアルファン組立体４８は、室内機２から取り入れた室内の空気を室外へと排出する場合には、給排気ホース６を通り給排気ダクト６１から送られてきた空気を給排気口４０ｃから室外へと排出する。
【００５６】
〈切換ダンパ〉
切換ダンパ４４は、ラジアルファン組立体４８の下方に配置される回転式の空気流路切換手段であり、第１切換状態、第２切換状態及び第３切換状態に切り替わる。
【００５７】
第１切換状態においては、ラジアルファン組立体４８から吹き出された空気は、給排気ダクト６１を経て給排気ホース６を通って室内機２へと供給されるようになる。これにより、第１切換状態では、図２の実線矢印Ａ１で示す矢印の向きに空気が流れ、室外空気が加湿され又は加湿されずに給排気ホース６を通って室内機２へと供給される。
【００５８】
第２切換状態では、図２の破線矢印Ａ２で示す矢印の向きに空気が流れ、室内機２から給排気ホース６及び給排気ダクト６１を通ってきた空気が、ラジアルファン組立体４８から給排気口４０ｃを経て室外へと排気される。
【００５９】
第３切換状態では、切換ダンパ４４と給排気ダクト６１とを繋ぐ経路が閉じられ、室外機３と室内機２との間の空気の流れが遮断される。
【００６０】
〈吸着用送風装置〉
吸着用送風装置４６は、吸着用ファンモータ６５と、吸着用ファンモータ６５によって回転駆動される吸着用ファン６８とを有し、第１空気通路４９ａを通る空気の流れを生成する。すなわち、吸着用送風装置４６は、吸着用空気吸込口４０ｂから吸い込まれ、吸加湿部材４１のうち電極部４２，４３と対向しない部分を通過し、吸着用空気吹出口４０ａから室外へ排出される空気の流れを生成する。
【００６１】
〈制御部〉
図６に示す制御部５１は、ラジアルファン組立体４８、切換ダンパ４４、ロータ駆動モータ４７、電源回路５０等を制御することによって、加湿運転、給気換気運転および排気運転を行うことができる。
【００６２】
以下、図２および図３に基づいて各運転時の動作について説明する。
【００６３】
〔加湿運転時の動作〕
本実施形態にかかる空気調和機１において加湿運転が行われるときには、上記の切換ダンパ４４は第１切換状態に切り換えられ、ラジアルファン組立体４８および吸着用ファンモータ６５が駆動される。また、一対の電極部４２，４３に電圧が印可される。
【００６４】
吸着用ファンモータ６５が駆動されると、室外の空気が調湿装置４ａ内に取り込まれ、第１空気通路４９ａを通って、室外へ排出される（図２の実線矢印Ａ３参照）。すなわち、室外からの空気は、吸着用空気吸込口４０ｂから調湿装置ケーシング４０内に取り入れられる。調湿装置ケーシング４０内に入ってきた空気は、吸加湿部材４１のうち電極部４２，４３に対向しない位置（図２において吸加湿部材４１の左側半分、以下「吸着位置」と呼ぶ）を下方から上方に通過する。このとき、吸加湿部材４１は、吸加湿部材４１の吸着位置を通る空気から水分を吸着する。吸加湿部材４１を通過した空気は、吸着側ダクト４５によって下方に折り返され、吸着側ベルマウス６３の開口６３ａを通り、吸着用空気吹出口４０ａから室外機３の外部へと排出される。
【００６５】
この吸着過程で、吸加湿部材４１のうち吸着位置において水分を吸着した部分は、吸加湿部材４１が回転することによって、吸着位置から電極部４２，４３に対向する位置（図２において吸加湿部材４１の右側半分、以下「離脱位置」と呼ぶ）に移動する。
【００６６】
一方、ラジアルファン組立体４８が駆動されると、室外の空気が調湿装置４ａ内に取り込まれ、第２空気通路４９ｂ、給排気ホース６、室内機２を通って、室内へ供給される（図２の実線矢印Ａ１参照）。すなわち、室外の空気は、給排気口４０ｃから調湿装置ケーシング４０内に取り込まれ、吸加湿部材４１の離脱位置の奥側を下方から上方に向けて通過し、吸加湿部材４１の離脱位置の手前側を上方から下方に通過する。この離脱位置では、吸加湿部材４１が電極部４２，４３によって電圧を印可されることにより誘電加熱されており、離脱位置を通過する空気中に水分が離脱していく。吸加湿部材４１の離脱位置を通過した空気は、切換ダンパ４４、ラジアルファン組立体４８を通り、給排気ダクト６１から給排気ホース６に送られる。給排気ホース６に送られた空気は、室内機２へと送られ、室内機２の吹き出し口から室内へと吹き出される。この室内機２へと送られる空気は、吸加湿部材４１に吸着されていた水分を含むようになっており、これにより室内の加湿が行われる。
【００６７】
以上のように、この調湿装置４ａでは、電極部４２，４３が固定的に設けられると共に吸加湿部材４１が電極部４２，４３の間で回転する。このため、吸加湿部材４１において電極部４２，４３と対向する部分と電極部４２，４３と対向しない部分とを繰り返し入れ替えることができ、誘電加熱を受ける部分と誘電加熱を受けない部分とを繰り返し切り替えることができる。これにより、吸加湿部材４１において水分の吸着と離脱とが繰り返され、無給水での室内の加湿が可能となっている。
【００６８】
〔給気換気運転時の動作〕
給気喚起運転が行われる場合には、吸着用ファンモータ６５が作動されず、また、電極部４２，４３に電圧が印可されずに、上記の加湿運転と同様の動作が行われる。これにより、室外から取り入れられた空気が、加湿されずに上記と同様の経路を通って室内機２へと送られる。
【００６９】
〔排気運転時の動作〕
次に、排気運転時の動作について説明する。排気運転が行われる場合には、上記の切換ダンパ４４は第２切換状態に切り換えられ、ラジアルファン組立体４８が駆動される。吸着用ファンモータ６５は駆動されず、一対の電極部４２，４３には電圧は印可されない。
【００７０】
ラジアルファン組立体４８が駆動されると、室内機２から取り込まれた室内の空気は、給排気ホース６を経て調湿装置４ａの内部に取り込まれ、第２空気通路４９ｂを上記の加湿運転時とは逆方向に流れることにより室外へ排出される（図２の波線矢印Ａ２参照）。すなわち、給排気ダクト６１から調湿装置４ａの内部に取り込まれた空気は、切換ダンパ４４、ラジアルファン組立体４８を通り、吸加湿部材４１の離脱位置のうち手前の部分を下方から上方に通過し、離脱位置のうち奥の部分の上方から下方に向けて通過し、給排気口４０ｃから室外へと排出される。
【００７１】
〔特徴〕
この空気調和機１では、調湿装置４ａにおいて、吸加湿部材４１の加熱が電極部４２，４３による誘電加熱によって行われている。このため、電熱式のヒーターによって加熱される場合と比べると、エネルギーの損失が少なく、省エネルギー性を向上させることができる。
【００７２】
また、吸加湿部材４１が絶縁層４１０によって複数の部分に仕切られているため、誘電加熱を受ける部分と受けない部分とを明確に分離することができ、水分の離脱を生じさせたい部分に集中して誘電加熱を生じさせることができる。
【００７３】
さらに、吸加湿部材４１は誘電加熱によって加熱されるため、ヒーターによって加熱される場合と比べると安全性が向上している。
【００７４】
＜第２実施形態＞
本発明の第２実施形態に係る空気調和機が備える調湿装置４ｂを図７に示す。この調湿装置４ｂは、吸加湿部材５４（図９参照）に水分を吸着させる加湿水分吸着運転と、吸加湿部材５４から水分を離脱させる加湿水分離脱運転とを交互に切り替えて行うことによって加湿空気を室内へ送るバッチ式の装置である。なお、調湿装置４ｂを除く構成（室内機２や室外空調ユニット５など）については第１実施形態の空気調和機１と同様である。
【００７５】
〔調湿装置の構成〕
この調湿装置４ｂは、図８および図９に示すように、調湿装置ケーシング５３、吸加湿部材５４、一対の電極部５５，５６、カバー部材５７、ダクト部材５８、送風ファン組立体５９、制御部７８（図１２参照）等を備えている。
【００７６】
（調湿装置ケーシング）
調湿装置ケーシング５３は、吸加湿部材５４、一対の電極部５５，５６、送風ファン組立体５９等を収納している。調湿装置ケーシング５３の内部は、送風ファン組立体５９を収納する空間と、吸加湿部材５４を収納する空間とに分かれている。具体的には、調湿装置ケーシング５３の内部において、正面視における左側が送風ファン組立体５９を収納する空間となっており、その側方すなわち右側の空間が、吸加湿部材５４を収納する空間となっている。吸加湿部材５４を収納する空間には、電極部５５，５６、カバー部材５７、ダクト部材５８も収納されている。
【００７７】
また、調湿装置ケーシング５３の前面右側、右側面、背面右側には、吸着用空気吸込口５３ａ，５３ｂ，５３ｃが設けられており、調湿装置ケーシング５３内の吸加湿部材５４が収納される空間に連通している。また、調湿装置ケーシング５３の前面左側、左側面、背面左側には、吸着用空気排気口５３ｄ，５３ｅ，５３ｆが設けられており、調湿装置ケーシング５３内の送風ファン組立体５９が収納される空間に連通している。
【００７８】
（吸加湿部材）
吸加湿部材５４は、第１実施形態の吸加湿部材４１と同様に吸着剤が担持された誘電体から構成されており、空気中の水分を吸着・離脱することができる。吸加湿部材５４は、細長い矩形形状を呈しており、概ね水平に配置されている。吸加湿部材５４は、第１実施形態の吸加湿部材４１とは異なり、回転せず固定的に設けられている。
【００７９】
（電極部）
一対の電極部５５，５６は、図９および図１０に示すように、吸加湿部材５４を間に挟んで上下方向に距離を隔てて配置されており、吸加湿部材５４の上面および下面を概ね覆っている。一対の電極部５５，５６は、それぞれ電源回路６７に接続されており、吸加湿部材５４に電圧を印可することによって、吸加湿部材５４を誘電加熱することができる。各電極部５５，５６は、網目状の金属製の部材であり、吸加湿部材５４と同様の細長い矩形の外形を有している。
【００８０】
（カバー部材）
カバー部材５７は、図９に示すように、吸加湿部材５４との間に密閉空間ＳＰ１を構成する部材であり、吸加湿部材５４および吸加湿部材５４の上方に配置された電極部５５の上面の概ね全体を覆うように設けられている。
【００８１】
（ダクト部材）
ダクト部材５８は、図８および図９に示すように、吸加湿部材５４を通って送風ファン組立体５９に送られる空気が通る空気通路ＳＰ２を構成する部材である。ダクト部材５８は、吸加湿部材５４および吸加湿部材５４の下方に配置された電極部５６の下面に対向しており、ダクト部材５８の上に電極部５６および吸加湿部材５４が載置されている。ダクト部材５８の上面は開口しており、ダクト部材５８の開口は吸加湿部材５４および電極部５６の下面に面している。ダクト部材５８の前後方向の幅は吸加湿部材５４の幅よりの小さく、ダクト部材５８は、吸加湿部材５４の前後方向の中間部分に対向している。このため、吸加湿部材５４の前後方向の中間部分はダクト部材５８の内部の空気通路ＳＰ２に面しているが、吸加湿部材５４の前端部近傍および後端部近傍の部分は、ダクト部材５８の内部の空気通路ＳＰ２に面しておらず、ダクト部材５８の外部の空間に面している。
【００８２】
また、ダクト部材５８の一側端は、送風ファン組立体５９に繋がっており、ダクト部材５８の内部の空気通路ＳＰ２は、送風ファン組立体５９のファン吸気口５９ａに繋がっている。
【００８３】
（送風ファン組立体）
送風ファン組立体５９は、吸加湿部材５４の吸着および脱離のための空気を吸加湿部材５４へ供給する。送風ファン組立体５９は、図１１および図１２に示すように、ファンロータ７１と、ファンモータ７２と、ファンケーシング７３と、ディフューザ７４と、ディフューザ駆動部７５とを備えている。
【００８４】
ファンロータ７１は、ファンモータ７２によって駆動され、回転軸ＡＸ２を中心に回転する。ファンロータ７１は、リング状の主板の内周縁部に多数のフィンが立設されたターボファン（具体的には、遠心＋斜流の複合ファン）である。
【００８５】
ファンケーシング７３は、スクロール形状を有するスクロールケーシングであり、下部にファン吸気口５９ａが形成され、側面にファン給気口５９ｂが形成されている。ファン給気口５９ｂは、図８に示すように、内部配管７６を介して給排気ダクト７７に接続されており、給排気ダクト７７は給排気ホース６（図１参照）に接続されている。また、ファンケーシング７３の上面には、ディフューザ７４によって開閉される開口５９ｃが形成されている。
【００８６】
ディフューザ７４は、ファンケーシング７３の上面の開口５９ｃを覆うように設けられており、開口５９ｃを開閉するように上下方向に移動可能に設けられている。ディフューザ７４が上方に移動した開状態では、開口５９ｃを通ってファンロータ７１の遠心方向に空気が吹き出され、開口５９ｃから吹き出された空気は、調湿装置ケーシング５３の吸着用空気排気口５３ｄ，５３ｅ，５３ｆを通って室外へ排出される。従って、ディフューザ７４が上方に移動した開状態では、ファンロータ７１によって生成される空気の流れは、室外から取り込まれ吸加湿部材５４を通って室外へ排出される第１流れ状態となる。一方、ディフューザ７４が下方へ移動した閉状態では、開口５９ｃが閉じられ、ファン給気口５９ｂから空気が吹き出される。ファン給気口５９ｂから吹き出された空気は、内部配管７６、給排気ダクト７７、及び、給排気ホース６を順に通って室内へと送られる。従って、ディフューザ７４が下方へ移動した閉状態では、ファンロータ７１によって生成される空気の流れは、室外から取り込まれ吸加湿部材５４を通って室内へ供給される第２流れ状態となる。このように、ディフューザ７４は、ファンロータ７１によって生成される空気の流れを第１流れ状態と第２流れ状態とに切り替えることができる。
【００８７】
ディフューザ駆動部７５は、ディフューザ７４を回転軸ＡＸ２に平行な方向に沿って、すなわち上下方向に往復移動させることができる。
【００８８】
（制御部）
図１２に示すように、制御部７８は、ファンモータ７２、ディフューザ駆動部７５、電源回路６７等を制御することによって、加湿運転および給気換気運転を行うことができる。
【００８９】
以下、各運転時の動作について説明する。
【００９０】
〔加湿運転時の動作〕
この空気調和機では、制御部７８は、ファンモータ７２、ディフューザ駆動部７５、電源回路６７等を制御することにより、吸加湿部材５４に水分を吸着させる加湿水分吸着運転と、吸加湿部材５４から水分を離脱させる加湿水分離脱運転とを選択的に実行することができる。制御部７８は、加湿水分吸着運転と加湿水分離脱運転とを交互に行うことにより、吸加湿部材５４への水分の吸着と脱着とを交互に行わせ、無給水での室内の加湿を行うことができる。
【００９１】
〈加湿水分吸着運転〉
まず、加湿水分吸着運転時の動作について説明する。加湿水分吸着運転時には、ディフューザ７４は開状態となり、開口５９ｃは開かれる。送風ファン組立体５９は、水分を吸加湿部材５４に吸着させるのに適した低静圧大風量を得るために低回転で駆動される。また、一対の電極部５５，５６には、電圧が印可されない状態となる。
【００９２】
この場合、図８および図９に示すように、送風ファン組立体５９によって生成される空気の流れは第１流れ状態となる。すなわち、室外の空気は、吸着用空気吸込口５３ａ，５３ｂ，５３ｃから調湿装置ケーシング５３の内部の吸加湿部材５４が収納される空間に取り込まれ、吸加湿部材５４の下面の前端部近傍および後端部近傍を下から上に通ってカバー部材５７の内部の密閉空間ＳＰ１に取り込まれる（図８および図９の矢印Ａ４参照）。カバー部材５７の内部の密閉空間ＳＰ１に取り込まれた空気は、吸加湿部材５４の前後方向の中間部分を上から下に通過して、ダクト部材５８の内部の空気通路ＳＰ２に取り込まれる（図９の矢印Ａ５参照）。このとき、吸加湿部材５４を通過する空気に含まれる水分が吸加湿部材５４に吸着される。吸加湿部材５４を通過してダクト部材５８の内部の空気通路ＳＰ２に取り込まれた空気は、送風ファン組立体５９のファン給気口５９ｂを通って、送風ファン組立体５９の内部に取り込まれる（図８の矢印Ａ６参照）。送風ファン組立体５９の内部に取り込まれた空気は、開口５９ｃ（図１１参照）を通ってファンロータ７１の遠心方向に吹き出され、調湿装置ケーシング５３の吸着用空気排気口５３ｄ，５３ｅ，５３ｆから室外へ排出される（図８および図１１のＡ７参照）。
【００９３】
〈加湿水分離脱運転時の動作〉
次に、加湿水分離脱運転時の動作について説明する。加湿水分離脱運転時には、ディフューザ７４は、閉状態となり、送風ファン組立体５９は、水分を吸加湿部材５４から脱離させるのに適した高静圧小風量を得るために高回転で駆動される。また、一対の電極部５５，５６には、電圧が印可され、吸加湿部材５４は誘電加熱される。
【００９４】
この場合、図１３に示すように、送風ファン組立体５９によって生成される空気の流れは第２流れ状態となる。ここで、室外の空気が、吸着用空気吸込口５３ａ，５３ｂ，５３ｃから調湿装置ケーシング５３の内部に取り込まれ送風ファン組立体５９の内部に送られるまでの空気の流れは、上記の加湿水分吸着運転時と同様である。ただし、吸加湿部材５４は、誘電加熱されているため、吸加湿部材５４を通過する空気中に水分を放出する。送風ファン組立体５９の内部に取り込まれた空気は、ファン給気口５９ｂから吹き出され、内部配管７６を通って、給排気ダクト７７に送られる（矢印Ａ８参照）。給排気ダクト７７に送られた空気は、給排気ホース６通って室内へと送られる。
【００９５】
〔給気換気運転時の動作〕
給気換気運転時には、空気の流れを上記の加湿水分離脱運転時と同じ第２流れ状態にすると共に、電極部５５，５６に電圧が印可されていない状態にする。これにより、室外の空気を調湿装置４ｂに取り込み、加湿せずに室内へと供給することができる。
【００９６】
〔特徴〕
この空気調和機では、第１実施形態に係る空気調和機１と同様に、調湿装置４ｂにおいて、吸加湿部材５４の加熱が電極部５５，５６による誘電加熱によって行われる。このため、電熱式のヒーターによって加熱される場合と比べると、エネルギーの損失が少なく、省エネルギー性を向上させることができる。
【００９７】
また、吸加湿部材５４は誘電加熱によって加熱されるため、ヒーターによって加熱される場合と比べると安全性が向上している。
【００９８】
＜他の実施形態＞
（１）
上記の第１実施形態においては、吸加湿部材４１において加湿された空気が室内へと送られているが、吸加湿部材４１において水分が吸着された後の空気が室内へと送られることにより室内の除湿が行われてもよい。
【００９９】
例えば、図１４に示すように、調湿装置４ｃに、第３空気通路４９ｃと第４空気通路４９ｄとが設けられてもよい。第３空気通路４９ｃは、室外から取り込まれ吸加湿部材５４のうち電極部５５，５６と対向しない位置を通り室内へ供給される空気が通る空気通路である。第４空気通路４９ｄは、室外から取り込まれ吸加湿部材５４のうち電極部４２，４３と対向する位置を通り室外へ排出される空気が通る空気通路である。他の構成については、第１実施形態の調湿装置４ａと同様である。
【０１００】
このような調湿装置４ｃでは、吸加湿部材４１によって除湿された空気を第３空気通路４９ｃを介して室内へ送ると共に、吸加湿部材４１に吸着された水分を第４空気通路４９ｄを通る空気によって室外へと排出することができる。
【０１０１】
（２）
上記の第１実施形態の第１空気通路４９ａでは、室外から取り込まれた空気が吸加湿部材４１に通されているが、室内から取り込まれた空気が調湿装置４ａ内に取り込まれ吸加湿部材４１に通されるように第１空気通路４９ａが構成されてもよい。第２空気通路４９ｂについても同様である。
【０１０２】
また、上記の他の実施形態の第３空気通路４９ｃにおいても、室外から取り込まれた空気が吸加湿部材４１に通されているが、室内から取り込まれた空気が調湿装置４ｃ内に取り込まれ吸加湿部材４１に通されるように第３空気通路４９ｃが構成されてもよい。第４空気通路４９ｄについても同様である。
【０１０３】
さらに、ダンパ等の切換手段によって空気通路が切り換えられることにより、第１実施形態に係る第１空気通路４９ａおよび第２空気通路４９ｂと、他の実施形態の第３空気通路４９ｃおよび第４空気通路４９ｄとが共に調湿装置に設けられてもよい。この場合、各空気通路を流れる空気の流れを切り換えることにより、加湿と除湿との両方を行うことができる。
【０１０４】
なお、上記の場合、給排気ホース６に、室内機２から調湿装置に送られる空気が通る空気通路と、調湿装置から室内機２に送られる空気が通る空気通路との２系統の空気通路が設けられるとよい。これにより、室内機２から調湿装置に室内の空気を送ると同時に、調湿装置から室内機２に調湿された空気又は調湿されていない空気を送ることができる。
【０１０５】
（３）
上記の第２実施形態において、ファンロータ７１によって生成される空気の流れを第３流れ状態にすると共に吸加湿部材５４に電圧が印可されていない状態にする除湿水分吸着運転と、ファンロータ７１によって生成される空気の流れを第４流れ状態にすると共に一対の電極部５５，５６によって吸加湿部材５４に電圧が印可されている状態にする除湿水分離脱運転とが交互に行われてもよい。第３流れ状態は、第２流れ状態と同様の空気の流れであり、第４流れ状態は第１流れ状態と同様の空気の流れである。これにより、吸加湿部材５４において水分を吸着され水分量が少なくなった空気が室内に送られ、室内の除湿を行うことができる。
【０１０６】
（４）
上記の第２実施形態においては、第１流れ状態は、室外から取り込まれ吸加湿部材５４を通って室外へ排出される空気の流れ状態であるが、室内から取り込まれ吸加湿部材５４を通って室外へ排出される空気の流れの状態であってもよい。また、第２流れ状態は、室外から取り込まれ吸加湿部材５４を通って室内へ供給される空気の流れ状態であるが、室内から取り込まれ吸加湿部材５４を通って室内へ供給される空気の流れの状態であってもよい。
【０１０７】
さらに、上記の他の実施形態（３）における第３流れ状態および第４流れ状態についても同様に、室内から取り込まれた空気が吸加湿部材５４に通されてもよい。
【０１０８】
（５）
上記の実施形態では、調湿装置４ａ，４ｂは、室外空調ユニット５と共に室内に配置されているが、室内機２と共に室内に配置されるものであってもよい。
【０１０９】
また、上記の実施形態では、調湿装置４ａ，４ｂは、室外空調ユニット５および室内機２と共に利用されているが、室外空調ユニット５や室内機２を伴わず単独で使用されるものであってもよい。
（６）
上記の第１実施形態では、吸加湿部材４１は、絶縁層４１０によって６つに分けられているが、より多くの又はより少ない数に分けられてもよい。
【０１１０】
（７）
上記の第１実施形態では、一対の電極部４２，４３の両方が網目状の形状となっているが、一方のみがこのような形状となっていてもよい。また、電極部４２，４３の形状は網目状に限るものではなく他の形状であってもよい。ただし、空気抵抗を低減させる観点からは、網目状のように空気が透過しやすい形状であることがより望ましい。
【０１１１】
第２実施形態の一対の電極部５５，５６についても同様である。
【０１１２】
（８）
上記の実施形態では、吸加湿部材４１，５４の誘電体としてセラミックが例示されているが、パルプや樹脂などの材料で誘電体として利用可能な素材が用いられてもよい。
【産業上の利用可能性】
【０１１３】
本発明は、省エネルギー性を向上させることができる効果を有し、調湿装置および空気調和機として有用である。
【図面の簡単な説明】
【０１１４】
【図１】空気調和機の外観図。
【図２】空気調和機が備える冷媒回路の構成と空気の流れを示す模式図。
【図３】第１実施形態に係る調湿装置の分解斜視図。
【図４】第１実施形態に係る吸加湿部材の構成を示す図。
【図５】第１実施形態に係る電極部の構成を示す図。
【図６】第１実施形態に係る調湿装置の制御ブロック図。
【図７】第２実施形態に係る調湿装置の外観斜視図。
【図８】第２実施形態に係る調湿装置の内部の上面視における構成、および、加湿水分吸着運転時の空気の流れを示す模式図。
【図９】第２実施形態に係る調湿装置の内部の側面視における構成および空気の流れを示す模式図。
【図１０】第２実施形態に係る電極部の構成を示す図。
【図１１】第２実施形態に係る送風ファン組立体の構成を示す側面断面図。
【図１２】第２実施形態に係る調湿装置の制御ブロック図。
【図１３】第２実施形態に係る調湿装置の内部の上面視における構成、および、加湿水分離脱運転時の空気の流れを示す模式図。
【図１４】他の実施形態に係る調湿装置の構成と空気の流れを示す模式図。
【符号の説明】
【０１１５】
１                      空気調和機
４ａ，４ｂ，４ｃ        調湿装置
４１，５４              吸加湿部材
４２，４３，５５，５６  電極部
４６                    吸着用送風装置（送風部、第１送風装置、第４送風装置）
４７                    ロータ駆動モータ（駆動部）
４８                    ラジアルファン組立体（送風部、第２送風装置、第３送風装置）
４９ａ                  第１空気通路
４９ｂ                  第２空気通路
４９ｃ                  第３空気通路
４９ｄ                  第４空気通路
５９                    送風ファン組立体（送風部）
７４                    ディフューザ（切替部）
７８                    制御部
４１０                  絶縁層
【図１】
2008025923.tif 000003
【図２】
2008025923.tif 000004
【図３】
2008025923.tif 000005
【図４】
2008025923.tif 000006
【図５】
2008025923.tif 000007
【図６】
2008025923.tif 000008
【図７】
2008025923.tif 000009
【図８】
2008025923.tif 000010
【図９】
2008025923.tif 000011
【図１０】
2008025923.tif 000012
【図１１】
2008025923.tif 000013
【図１２】
2008025923.tif 000014
【図１３】
2008025923.tif 000015
【図１４】
2008025923.tif 000016